【事件の表示】
　特願２００５−３６１２５２「脱毛装置」拒絶査定不服審判事件〔平成１９年　２月１５日出願公開、特開２００７−　３７９６８〕について、次のとおり審決する。
【結　論】
　本件審判の請求は、成り立たない。
【理　由】
Ｉ．手続の経緯
　本願は、平成１７年１２月１５日の出願（優先権主張平成１７年５月１１日）であって、平成１８年５月３１日付けで拒絶査定がなされ、これに対し、平成１８年６月３０日に拒絶査定不服審判の請求がなされるとともに、平成１８年７月３１日付けで特許請求の範囲についての手続補正がなされたものである。
　
II．平成１８年７月３１日付けの手続補正についての補正却下の決定
［補正却下の決定の結論］
　平成１８年７月３１日付けの手続補正（以下、「本件補正」という）を却下する。
　
［理由］
１．補正後の本願発明
　本件補正により、特許請求の範囲の請求項１は、次のように補正された。
　「剃毛された肌に感光剤を含む脱毛溶液を塗布し、この脱毛溶液が塗布された肌に対して、オゾンを照射した後に
、
　オゾンを発生させるオゾン発生回路と、
　マイナスイオンを発生させるマイナスイオン発生回路と、
　プラスイオンを発生させるプラスイオン発生回路と、
　上記プラスイオン発生回路及びマイナスイオン発生回路に対して、吸引したエアーを送ることでプラスイオン風及びマイナスイオン風を発生させる送風装置と、
　上記脱毛溶液が塗布された肌に対して、上記オゾン発生回路で発生させたオゾンを照射した後に、上記プラスイオン発生回路により発生したプラスイオン風を
上記脱毛溶液が塗布された肌に対して
　上記マイナスイオン発生回路からのマイナスイオン風を上記脱毛溶液が塗布された肌に対して照射する第２のプローブと、
　上記第１のプローブと、上記第２のプローブとを結合させて、上記第１のプローブ及び第２のプローブからのエアーを同時に上記肌に照射するための結合プローブと、
　上記第１のプローブから噴射するエアーを、上記オゾン発生回路で発生したオゾン
を噴射する段階
上記第１のプローブからの
を噴射するとともに、上記第２のプローブからマイナスイオン風を同時に噴射する段階
　上記第１のプローブの先端に取り付けられ、上記プラスイオン風を照射する際に、感光剤を含む脱毛溶液が塗布された肌に対して光を照射する発光素子と、
　を有することを特徴とする脱毛装置。」（なお、下線は補正箇所を示すものである。）
　
２．補正の目的及び新規事項の追加の有無
　本件補正は、請求項３に記載した発明を特定するために必要な事項である「プラスイオン風を照射する前又はプラスイオン風を照射すると同時に・・・マイナスイオン風を照射する」との選択的記載を、「プラスイオン風及びマイナスイオン風を同時に照射する」として限定し、「プラスイオン風を照射するための第１のプローブ」に、「上記脱毛溶液が塗布された肌に対して」との限定を付加し、「上記オゾン発生回路で発生したオゾンと、上記プラスイオン発生回路からのプラスイオン風とを切り替えるための切替スイッチ」を、「上記オゾン発生回路で発生したオゾンを噴射する段階と、上記第１のプローブからのプラスイオン風を噴射するとともに、上記第２のプローブからマイナスイオン風を同時に噴射する段階に切り替えるための切替スイッチ」と限定するものであり、かつ、補正後の請求項１に記載された発明は、補正前の請求項３に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
　
３−１．引用例の記載事項
（引用例１）
　原査定の拒絶の理由に引用された、特開２００４−１４８１０７号公報（以下、「引用例１」という）には、図面と共に次の事項が記載されている。
（ア）「・・・また、この美肌装置１０１は、マイナスイオンを発生して、美肌ローラ１１３が通過する又は通過した肌上の領域に、そのマイナスイオンが含まれた風を吹き当てることで、その領域において血流を善くしたり細胞を活性化したりして、より高い美肌効果を奏することができるようになっている。・・・」（段落【００４５】）
（イ）「・・・美肌装置１０１は、後に詳述する各種スイッチ及びボタンの位置又は状態（換言すれば、ユーザに設定されたモードの種類）に応じて、内部でマイナスイオン及び／又はオゾンを発生し、ファン７の駆動によって、後部開口１ａから空気を吸引しそれを頭ケーシング１２１にあるイオン風吹出穴１２３から噴出すことで、美肌装置１０１の美肌ローラ１１３が通過する又は通過した肌上の領域に、マイナスイオン及び／又はオゾンが含まれたイオン風を吹き当てる。・・・」（段落【００５６】）
（ウ）「第７サブ実施例に係る除毛装置１０５１は、剃毛部１０５５と、風吹出口部材１０５３Ｂと、ケーシング１０５３Ａとを備えている。」（段落【０１１２】）
（エ）「ケーシング１０５３Ａの内部には、マイナスイオンを発生する１又は複数（例えば２つ）のマイナスイオン発生部（例えばマイナスイオン電極）１０５７Ａ、１０５７Ｂと、生成された風を温風にするための１又は複数（例えば２つ）のヒータ１０５８Ａ、１０５８Ｂと、オゾンを発生するための１又は複数（例えば２つ）のオゾン発生部（例えばオゾン電極）１０５２Ａ、１０５２Ｂとが備えられている。また、ケーシング１０５３Ａの内部には、風を生成するためのファン１３００と、駆動部１１０３、マイナスイオン発生部１０５７Ａ、１０５７Ｂ、ヒータ１０５８Ａ、１０５８Ｂ、オゾン発生部１０５２Ａ、１０５２Ｂ及びファン１３００への給電及びそれの制御を行う電源回路１１０１とが備えられている。
　マイナスイオン発生部１０５７Ａ、１０５７Ｂ、ヒータ１０５８Ａ、１０５８Ｂ、オゾン発生部１０５２Ａ、１０５２Ｂは、ファン１３００の駆動によってケーシング１０５３Ａ底面の空気吸入穴１０７３から取り込まれて風吹出穴１０７１、１０７１へ送り出される空気の通路上に設けられている。」（段落【０１１６】〜【０１１７】）
（オ）「電源回路１１０１は、図１４に示したモード切替スイッチ１０７５Ａ、風量制御スイッチ１０７５Ｂ及び風温制御スイッチ１０７５Ｃの位置に応じて、・・・駆動部１１０３、マイナスイオン発生部１０５７Ａ、１０５７Ｂ、ヒータ１０５８Ａ、１０５８Ｂ、オゾン発生部１０５２Ａ、１０５２Ｂ及びファン１３００への給電を制御する。」（段落【０１１８】）
（カ）「電源回路１１０１は、モード切替スイッチ１０７５Ａが第２の位置に移動させられた場合は、イオン風モードを実行する。・・・イオン風モードでは、点線で例示したように、風吹出口部材５３Ｂ先端の風吹出穴１０７１、１０７１から、マイナスイオンが含まれたイオン風が吹き出る。・・・」（段落【０１２０】）
（キ）「電源回路１１０１は、モード切替スイッチ１０７５が第３の位置に移動させられた場合は、オゾン風モードを実行する。・・・オゾン冷風モードでは、点線で例示したように、風吹出口部材１０５３Ｂ先端の風吹出穴１０７１、１０７１から、オゾンが含まれたオゾン風が吹き出る。・・・」（段落【０１２１】）
（ク）「ところで、この除毛装置１０５１は、図１６に示すように、風吹出口部材１０５３Ｂに対して着脱自在となっている剃毛部１０５５を風吹出口部材５３Ｂから取り外し、別の方法で皮膚又は体毛に対してトリートメントする部材を装着することで、剃毛とは異なる別のトリートメント機能を発揮することができる。例えば、図１６に示したように、剃毛部１０５５が取り外された後に、図１７に示すように、脱毛部１０６３が風吹出口部材１０５３Ｂに装着されれば、脱毛を実行することができる。」（段落【０１２８】）
（ケ）「オゾンには殺菌効果があるので、その刺激された箇所若しくはそこを含む領域に存在し得る雑菌を殺し、以って、除毛した部位が炎症してしまう虞を低減することができる。」（段落【０１３２】）
（コ）「また、脱毛部１０６３は、毛を抜き取って脱毛するいわゆる「抜毛」のための脱毛部に限らず、温灸脱毛、電気脱毛、レーザ脱毛など別の方法で脱毛するための脱毛部であっても良い。」（段落【０１３７】）
　
　これら記載事項及び図示内容を総合し、本願発明の記載ぶりに則って整理すると、引用例１には、次の発明（以下、「引用発明」という）が記載されている。
「脱毛部を備え、マイナスイオン又はオゾンが含まれた風を肌に吹き当てて細胞活性化や殺菌の効果を得る除毛装置であって、
　オゾンを発生するためのオゾン発生部と、マイナスイオンを発生するマイナスイオン発生部と、電源回路と、
　風を生成するためのファンと、
　マイナスイオンが含まれたイオン風又はオゾンが含まれたオゾン風が吹き出る風吹出口部材と、
　イオン風モードと、オゾン風モードとを切り替えるモード切替スイッチと、
　を有する除毛装置。」
　
（引用例２）
　原査定の拒絶の理由に引用された、特開２００２−２１６９３３号公報（以下、「引用例２」という）には、図面と共に次の事項が記載されている。
（サ）「前記スイッチング手段をＯＮ状態にするとプラスイオンとマイナスイオンとが発生し、前記スイッチング手段をＯＦＦ状態にするとマイナスイオンが発生する請求項３に記載のイオン発生装置。」（【請求項４】）
（シ）「・・・すなわち、リラクゼーション効果を得たいときにはマイナスイオンを発生させる運転モードに、また除菌・殺菌効果を得たいときにはプラスイオンとマイナスイオンを発生させる運転モードに、ユーザの選択によってまたは周辺状況に応じて自動的に運転モードを切り替えることのできるイオン発生装置が望まれている。
　本発明は、上記の問題点に鑑み、マイナスイオンを発生させる運転と、マイナスイオンおよびプラスイオンを発生させる運転とを切り替えることができるイオン発生装置およびこれを用いた空気調節装置を提供することを目的とする。」（段落【０００５】〜【０００６】）
　
（引用例３）
　原査定の拒絶の理由に引用された、特開２００４−１７５１４３号公報（以下、「引用例３」という）には、図面と共に次の事項が記載されている。
（ス）「一般に、プラスイオン発生量が多いほど除菌効果が高く、マイナスイオン発生量が多いほど清浄効果が高いため、プラスイオンを除菌イオン、マイナスイオンを清浄化イオンと言うこともある。・・・
　本発明は、雨天に対応して除菌イオンを発生させて車室内に除菌イオンを含む空気を送風することができる車両用空調装置を提供する。」（段落【０００４】〜【０００５】）
　
（引用例４）
　原査定の拒絶の理由に引用された、特許第３３４００８０号公報（以下、「引用例４」という）には、図面と共に次の事項が記載されている。
（セ）「むだ毛を取り除く脱毛工程と、むだ毛を取り除いた箇所に脱毛ジェルを塗布する脱毛ジェル塗布工程と、脱毛ジェルを塗布した箇所にフィルムを被覆するフィルム被覆工程と、フィルムを被覆した箇所に温熱パッドを当てて温熱する温熱工程と、から成る温熱脱毛方法。」（【請求項１】）
　
（引用例５）
　原査定の拒絶の理由に引用された、特表平１０−５０６５５４号公報（以下、「引用例５」という）には、図面と共に次の事項が記載されている。
（ソ）「１．哺乳類の皮膚から毛髪を除去する方法であって、前記方法は、ａ）前記毛髪を機械的、或いは、化学的に除去して前記毛髪の毛包を露出させ、次いでｂ）前記毛包を処理して、その毛髪再生能を阻害することを特徴とする脱毛法。
・・・
３．請求項１に記載の方法であって、ステップｂ）が、前記毛包へに光増感剤の適用と、それに続く前記光増感剤の活性化からなることを特徴とする脱毛法。」（【特許請求の範囲】）
（タ）「除毛に続き、毛包の毛髪生長促進性は、複数の方法のいずれかによって不活性化され、これには、光増感剤の使用に続く露光、・・・が含まれる。」（３頁２２〜２４行）
　
３−２．対比
　本願補正発明と引用発明とを対比すると、引用発明の「オゾン発生部」と「電源回路」の一部は「オゾン発生回路」を構成しており、「マイナスイオン発生部」と「電源回路」の一部が「マイナスイオン発生回路」を構成していることは明らかである。
　そして、上記記載事項（エ）に記載されているように、「マイナスイオン発生部１０５７Ａ、１０５７Ｂ、ヒータ１０５８Ａ、１０５８Ｂ、オゾン発生部１０５２Ａ、１０５２Ｂは、ファン１３００の駆動によってケーシング１０５３Ａ底面の空気吸入穴１０７３から取り込まれて風吹出穴１０７１、１０７１へ送り出される空気の通路上に設けられている。」のであるから、引用発明の「ファン」は「マイナスイオン発生回路に対して、吸引したエアーを送ることでマイナスイオン風を発生させる送風装置」に相当している。
　また、引用発明の「イオン風モードと、オゾン風モードとを切り替えるモード切替スイッチ」と、本願補正発明の「上記第１のプローブから噴射するエアーを、上記オゾン発生回路で発生したオゾンを噴射する段階と、上記第１のプローブからのプラスイオン風を噴射するとともに、上記第２のプローブからマイナスイオン風を同時に噴射する段階に切り替えるための切替スイッチ」とは、「オゾン発生回路で発生したオゾンを噴射する段階と、イオン風を噴射する段階に切り替える切替スイッチ」という概念で共通している。
　そして、引用発明の「除毛装置」は「脱毛装置」と言えるものである。
　そこで、本願補正発明の用語を用いて表現すると、両者は次の点で一致する。
　
（一致点）
　「　オゾンを発生させるオゾン発生回路と、
　マイナスイオンを発生させるマイナスイオン発生回路と、
　上記マイナスイオン発生回路に対して、吸引したエアーを送ることでマイナスイオン風を発生させる送風装置と、
　上記オゾン発生回路で発生したオゾンを噴射する段階と、イオン風を噴射する段階に切り替えるための切替スイッチと、
　を有することを特徴とする脱毛装置。」
　
　そして、両者は次の相違点１〜５で一応相違する。
（相違点１）
　本願補正発明は「剃毛された肌に感光剤を含む脱毛溶液を塗布し、この脱毛溶液が塗布された肌」に対するものであって、「発毛を抑制する脱毛方法に使用される装置」であるのに対し、引用発明は「脱毛装置」ではあるが、その他の特定事項については明らかでない点。
（相違点２）
　本願補正発明は「プラスイオン発生回路」を備え、「プラスイオン」及び「プラスイオン風」を発生させるのに対し、引用発明はそのような特定事項を備えていない点。
（相違点３）
　本願補正発明は「オゾン発生回路で発生させたオゾンを照射した後に、プラスイオン発生回路により発生したプラスイオン風を照射するための第１のプローブと、
　マイナスイオン発生回路からのマイナスイオン風を照射する第２のプローブと、
　第１のプローブと、第２のプローブとを結合させて、第１のプローブ及び第２のプローブからのエアーを同時に照射するための結合プローブと」を有しているのに対し、引用発明は「マイナスイオンが含まれたイオン風又はオゾンが含まれたオゾン風が吹き出る風吹出口部材」を有している点。
（相違点４）
　切替スイッチについて、イオン風を噴射する段階が本願補正発明においては「プラスイオン風を噴射するとともに、マイナスイオン風を同時に噴射する段階」であるのに対し、引用発明はマイナスイオン風を噴射する段階である点。
（相違点５）
　本願補正発明は「第１のプローブの先端に取り付けられ、プラスイオン風を照射する際に、光を照射する発光素子」を有しているのに対し、引用発明はそのような特定事項を備えていない点。
　
３−３．相違点の判断
　上記相違点について検討する。
（相違点１について）
　引用例１の記載事項（コ）からみて、引用発明の脱毛部も、毛を抜き取る以外の別の方法で脱毛するものであっても良いとされている。そして、引用例４には、記載事項（セ）からみて、むだ毛を取り除いた箇所に脱毛ジェルを塗布することを含む脱毛方法が記載されており、感光剤を含む脱毛溶液等を塗布し、光を照射する脱毛法は本願優先日前周知の技術事項（例、引用例５の記載事項（ソ）及び（タ）、特表２００３−５０１１６８号公報の請求項１等参照）である。
　また、本願補正発明は、例えばオゾンの噴射による作用によって、発毛が抑制されると説明されている（本願明細書段落【００３３】）が、引用発明においてもオゾンを噴射するものである以上、同様に発毛を抑制する脱毛方法となるものと考えられるから、この点に差異はない。
　そうすると、引用発明の脱毛方法として、引用例４に記載された発明及び周知の技術事項を適用して、相違点１に係る本願補正発明の発明特定事項のようにすることは当業者が容易に想到できたことである。
　
（相違点２について）
　プラスイオン発生回路を備え、プラスイオン及びプラスイオン風を発生させて除菌・殺菌効果を得る装置は本願優先日前周知の技術事項（例、引用例２の記載事項（サ）及び（シ）、引用例３の記載事項（ス）参照）である。ところで引用発明においては殺菌効果を得るためにオゾンを噴射するものであり、共通する作用効果をより良好にするため周知の技術事項を適用してプラスイオン風を噴射するための特定事項を追加することも当業者にとって格別の創意を要することではない。
　そうすると、引用発明に周知の技術事項を適用して、相違点２に係る本願補正発明の発明特定事項のように構成することは当業者が容易に想到できたことである。
　
（相違点３について）
　プラスイオン及びプラスイオン風を発生させて除菌・殺菌効果を得る装置は（相違点２について）で指摘したとおり本願優先日前周知の技術事項であり、かつ引用例２には、記載事項（サ）及び（シ）からみて、プラスイオンとマイナスイオンを同時に発生させる技術事項が記載されている。
　そして、本願補正発明の「結合プローブ」は、オゾンの照射又はプラスイオン風とマイナスイオン風との同時照射を行う最終出口であって、「第１のプローブ」及び「第２のプローブ」は結局のところオゾンや各イオンの発生回路から最終出口に向かう経路にすぎない。引用発明においても記載事項（エ）からみてオゾン発生部とマイナスイオン発生部は風吹出口部材の風吹出穴へ送り出される空気の経路上に設けられているものであって、その経路をどのように設定するかは当業者が適宜なし得る設計的事項にすぎない。
　また、引用発明の風吹出口部材は、イオン風やオゾン風を吹き出す部分である点で本願補正発明の結合プローブと共通しており、風吹出口部材をプローブとすることも設計的事項にすぎない。
　そうすると、引用発明に周知の技術事項及び引用例２に記載された技術事項を適用して、オゾンの経路及びプラスイオン風の経路を第１のプローブとするとともにマイナスイオン風の経路を第２のプローブとして設定し、かつ最終出口である風吹出口部材をそれらの結合プローブとして、相違点３に係る本願補正発明の発明特定事項のように構成することは当業者が容易に想到できたことである。
　
（相違点４について）
　（相違点３について）で指摘したとおり引用例２には、記載事項（サ）及び（シ）からみて、プラスイオンとマイナスイオンを同時に発生させる技術事項が記載されている。そうすると、引用発明に引用例２に記載された技術事項を適用して、相違点４に係る本願補正発明の発明特定事項のように構成することは当業者が容易に想到できたことである。
　
（相違点５について）
　（相違点１について）で検討したように引用発明の脱毛方法として、周知の技術事項である感光剤を含む脱毛溶液等を塗布し、光を照射する脱毛法を適用する際に、光を照射する発光素子を設けることは当業者が格別の創意なくなし得ることにすぎず、それをどこに設けるかは単なる設計的事項にすぎない。
　そうすると、引用発明に周知の技術事項を適用して、相違点５に係る本願補正発明の発明特定事項のように構成することは当業者が容易に想到できたことである。
　
　なお、請求人は請求の理由において、プラスイオン風とマイナスイオン風とを同時に照射することによる効果として、「本願発明では、プラスイオン風と同時にマイナスイオン風を吹き付けることにより、マイナスイオン風で肌を活性化して毛穴を開き、開いた毛穴に対してプラスイオン風を吹き付けるために、「結合プローブ」を採用したのである。そして、このような本願発明の独特の構成により、初めてプラスイオンが毛穴から毛包細胞等に到達して毛包細胞等を酸化し、脱毛・抑毛効果を発揮するという特異な効果を奏するのである。」等と主張している。
　しかしながら、この点に関して本願明細書【００３４】にはマイナスイオンの噴射により肌を活性化して毛穴が開く点、同【００３５】にはプラスイオンの噴射により細胞の活動が低下（不活性化）し発毛が抑制される点が記載されており、このような相反する効果を有するプラスイオン風とマイナスイオン風とを同時に照射した場合には効果が相殺されるのではないかとの疑義が生じるところ、この点についての理論的あるいは実証的説明もなされていない。
　そうすると、プラスイオン風とマイナスイオン風とを同時に照射するとの発明特定事項も、格別の相乗的効果が認められるものでなく、既存の発明を寄せ集めたにすぎないと言わざるをえないものである。
　そして、本願補正発明によるその他の効果も、引用発明ないし引用例２及び４に記載された技術事項及び周知の技術事項から当業者が予測し得た程度のものであって、格別のものとはいえない。
　
　以上の点から、本願補正発明は、引用発明ないし引用例２及び４に記載された発明並びに周知の技術事項に基づいて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前特許法第１７条の２第５項において準用する同法第１２６条第５項の規定に違反するので、特許法第１５９条第１項において読み替えて準用する同法第５３条第１項の規定により却下すべきものである。
　
III.本願発明
　本件補正は、上記のとおり却下されたので、本願の請求項３に係る発明（以下、同項記載の発明を、「本願発明」という）は、平成１８年４月７日付けの手続補正書により補正された特許請求の範囲の請求項３に記載された事項により特定される、以下のとおりのものである。
　「上記第１のプローブと、上記第２のプローブとを結合させて、上記第１のプローブ及び第２のプローブからのエアーを混合して上記肌に照射する結合プローブをさらに有する、
　請求項２記載の脱毛装置。」
　なお、本願発明が引用する請求項２に係る発明及び請求項２に係る発明がさらに引用する請求項１に係る発明は以下のとおりのものである。
　「【請求項１】
　剃毛された肌に感光剤を含む脱毛溶液を塗布し、この脱毛溶液が塗布された肌に対して、オゾンを照射した後に、プラスイオン風を照射することで発毛を抑制する脱毛方法に使用される装置であって、
　オゾンを発生させるオゾン発生回路と、
　プラスイオンを発生させるプラスイオン発生回路と、
　上記プラスイオン発生回路に対して、吸引したエアーを送ることでプラスイオン風を発生させる送風装置と、
　上記脱毛溶液が塗布された肌に対して、上記オゾン発生回路で発生させたオゾンを照射した後に、上記プラスイオン発生回路により発生したプラスイオン風を照射するための第１のプローブと、
　上記第１のプローブから噴射するエアーを、上記オゾン発生回路で発生したオゾンと、上記プラスイオン発生回路からのプラスイオン風とを切り替えるための切替スイッチと、
　上記第１のプローブの先端に取り付けられ、上記プラスイオン風を照射する際に、感光剤を含む脱毛溶液が塗布された肌に対して光を照射する発光素子と、
　を有することを特徴とする脱毛装置。
　　【請求項２】
　上記第１のプローブによりプラスイオン風を照射する前又はプラスイオン風を照射すると同時に、上記脱毛溶液が塗布された肌に対してマイナスイオン風を照射する脱毛方法に使用される装置であって、
　マイナスイオンを発生させるマイナスイン発生回路をさらに有し、
　上記送風装置は、マイナスイオン発生回路に対して、エアーを送ることでマイナスイオン風を発生させ
　発生されたマイナスイオン風を上記脱毛溶液が塗布された肌に対して照射する第２のプローブをさらに有する、
　請求項１記載の脱毛装置。」
　
IV.引用例の記載事項
　原査定の拒絶の理由に引用された引用例、及び、その記載事項は、前記II.３−１に記載したとおりである。
　
Ｖ．対比・判断
　本願発明は、前記II.１の本願補正発明のうち、「プラスイオン風及びマイナスイオン風を同時に照射する」との記載を「プラスイオン風を照射する前又はプラスイオン風を照射すると同時に・・・マイナスイオン風を照射する」との選択的記載とし、「プラスイオン風を照射するための第１のプローブ」の限定事項である「上記脱毛溶液が塗布された肌に対して」との発明特定事項を省き、「上記オゾン発生回路で発生したオゾンを噴射する段階と、上記第１のプローブからのプラスイオン風を噴射するとともに、上記第２のプローブからマイナスイオン風を同時に噴射する段階に切り替えるための切替スイッチ」と限定された記載を、「上記オゾン発生回路で発生したオゾンと、上記プラスイオン発生回路からのプラスイオン風とを切り替えるための切替スイッチ」として、より限定されない記載とするものである。
　そうすると、本願発明の発明特定事項をすべて含み、さらに、他の発明特定事項により限定したものに相当する本願補正発明が、前記II.３−３に記載したとおり、引用発明ないし引用例２及び４に記載された発明並びに周知の技術事項に基づいて、当業者が容易に発明をすることができたものであるから、本願発明も、同様に、引用発明ないし引用例２及び４に記載された発明並びに周知の技術事項に基づいて、当業者が容易に発明をすることができたものである。
　
VI.むすび
　以上のとおり、本願発明は、引用発明ないし引用例２及び４に記載された発明並びに周知の技術事項に基づいて、当業者が容易に発明をすることができたものであるから、特許法第２９条第２項の規定により、特許を受けることができない。
　そして、本願の請求項３に係る発明が特許を受けることができないものである以上、その他の請求項に係る発明について検討するまでもなく、本願は拒絶すべきものである。
　よって、結論のとおり審決する。